(57)【特許請求の範囲】
【請求項１】
ブラインドを内蔵したガラスパネルにおいて、ガラス板の側端が嵌る縦桟の表面にはつまみを回転自在に取付け、又縦桟の空間にはギア装置を上下位置に取着すると共に両ギア装置をシャフトによって連結し、上記ツマミから後方へ延びる軸を下ギア装置に繋ぎ、ブラインドの巻き取り軸から延びる軸を上ギア装置と連結し、又上記ツマミを回す為に該ツマミと係合するハンドルを着脱自在に設け、ハンドル操作によってブラインドの昇降動可能とし、そして、上記ガラスパネルの側端はその縦桟の外側に有している開口に垂直に起立するスタッドが嵌った状態で該スタッドにネジ止めにて連結し、ガラスパネルの下端は床レールに配置したアジャスター上の巾木を介して適当な高さに支持され、また、ガラスパネルの上端は天井に固定している天井レールと係合したことを特徴とするブラインド内臓のガラスパネル。
【発明の詳細な説明】
【０００１】
【発明の属する技術分野】
本発明は操作性が良くて外観を損わないように、ブラインドを内蔵したガラスパネルに関するものである。
【０００２】
【従来の技術】
部屋の窓にはブラインドが吊設されて、外からの直射日光を遮り、又外部からの人目を遮ることが出来る。勿論、布製のカーテンであっても同じように光を遮ることが出来るが、入射する光の量を調整することは出来ない為に、オフィスなどでは一般にブラインドが使用されている。そして、このブラインドは単に部屋の窓際に限らず、ガラス間仕切りに内蔵することも出来る。即ち、近年は建物の大きな空間を間仕切りによって適度な大きさに仕切る場合が殆どであり、この間仕切りの一部にガラスパネルを据え付けることがあり、しかしガラスパネルを時として遮ることが必要となる。
【０００３】
ところで、ガラスパネルに内蔵している従来のブラインドは、窓際に吊り下げているブラインドと同じ構造であり、これをガラスパネル内に収容しただけである。しかしブラインドを操作する為の紐を内部(両ガラス板間)に収容することは出来ず、この紐だけが外に導き出されてガラスパネルの表面に垂れ下がった状態となり、これが間仕切りの外観を損っている。即ち、ブラインドがガラスパネルの際に吊り下げられている場合であれば、操作紐が一緒に下がっていても、それ程違和感を持たないが、ブラインドがガラスパネル内に収容されている為に、操作紐だけが外に存在することは間仕切りとしての外観が良くない。
【０００４】
【発明が解決しようとする課題】
このようにブラインド内蔵のガラスパネルには上記のごとき問題がある。本発明が解決しようとする課題はこの問題点であり、ガラスパネルの外に操作紐を備えないブラインド内蔵のガラスパネルを提供する。
【０００５】
【課題を解決する為の手段】
本発明のブラインド内蔵ガラスパネルは枠体の両面側にそれぞれガラス板を嵌め、両ガラス板の間は所定の空間が形成されている。上記ブラインドはこの両ガラス板の空間に収容され、透明なガラスパネルを必要に応じて遮ることが出来る構造となっている。両ガラス板間の空間にブラインドを内蔵した構造は従来から存在しているものと共通し、本発明ではこのブラインドの操作方法に特徴がある。
【０００６】
ガラスパネルの縦桟にはツマミが表面から突出して設けられ、該ツマミは回転することが出来る。そしてこのツマミから延びる軸にはギアが取付けられ、縦桟に沿って配置されているシャフト下端のギアと噛み合うことでツマミの回転はシャフトを回し、又シャフト上端に設けているギアはブラインドの巻き取り軸から延びる軸に取着しているギアと噛み合っている。
【０００７】
したがって、ツマミが回転することで巻き取り軸が回ってブラインドを昇降動することが出来る。そしてブラインド羽根の傾斜角調整もツマミの回転によって行われる。ここで上記ツマミは比較的小さく、ブラインド羽根の傾斜角度調整は直接手で摘んで行うことが出来るが、ブラインドの昇降動はハンドルが使用される。即ち、このツマミにハンドルを取り付け、ハンドル操作で行われるようにしている。以下、本発明に係る実施例を図面に基づいて詳細に説明する。
【０００８】
【実施例】
図１(ａ)、(ｂ)は本発明のブラインド内蔵ガラスパネルを示している概略図である。同図の１はガラス板、２は縦桟、３は上桟、４は下桟、５はブラインドをそれぞれ示している。上桟３内には巻き取り軸６が取着され、ブラインド５を吊り下げている紐がこの巻き取り軸６に巻き付くことが出来る。そして上記縦桟２の表面にはツマミ７が突出して設けられている。ブラインド５はこのツマミ７を回転することで昇降動することが出来、しかもツマミ７を回すことでブラインド５の羽根の傾きを調整し得る。
【０００９】
図２はブラインドを内蔵したガラスパネルの横断面と縦断面であり、ガラス板１，１の側端は縦桟２に設けている溝にガスケットを介して嵌り、同じくガラス板１，１の上下端は上桟３及び下桟４に形成している溝にガスケットを介して嵌っている。そして２枚のガラス板１，１は所定の間隔をおいて平行に取付けられ、間には空間８が形成されている。
【００１０】
ガラスパネルは間仕切りを構成する為に、その両側端は垂直に起立するスタット９と連結し、ガラスパネルの縦桟２の外側に有している開口にスタッド９が嵌った状態でスタッド９にネジ止めされている。そしてガラスパネルの下端は、床レール１０に配置したアジャスター１１上に巾木２２を介して適当な高さに支持され、又上端は天井に固定されている天井レール１２と係合している。
【００１１】
ここで、本発明はガラスパネルの具体的な構造、例えば縦桟２、上下桟３，４の形状、又ガラス板１，１とこれら縦桟２、上下桟３，４との関係は特に限定しないことにする。本発明ではブラインド５を昇降動する為の回転ツマミ７は縦桟２の表面に取付けられ、そしてこのツマミ７の回転をブラインド５の巻き取り軸６へ伝える動力伝達装置は縦桟２の空間１３に設けられる。
【００１２】
図３(ａ)、(ｂ)は上記動力伝達装置を示している具体例である。ツマミ７から後方へ延びる軸１４はギア装置１５と連結し、該ギア装置１５はシャフト１６を介して上方のギア装置１７へ繋がっている。このギア装置１５は水平軸１４の回転運動を上方へ延びるシャフト１６の回転運動に変換する為に、互いに噛み合うウオームギアから構成され、同じく上方のギア装置１７も互いに噛み合うウオームギアで構成され、シャフト１６の回転運動を水平軸１８へ伝達することが出来る。但し、上下ギア装置１５，１７の何れか一方は傘歯車を使用することも出来る。
【００１３】
軸１８はブラインド５の巻き取り軸６と繋がっていて、軸１８は巻き取り軸６を回転することが出来る。したがってツマミ７を回すならば、ギア装置１５、シャフト１６、ギア装置１７を介して巻き取り軸６が回転し、その結果ブラインド５は昇降動する事が出来、又ブラインド５の羽根の傾斜を調整することが出来る。この場合、ブラインド５の昇降動に際してはツマミ７の回転数が大きい為に、ハンドル２１をツマミ７に嵌めて該ハンドルを回すことが出来る。ハンドル２１はブラインドを昇降する場合にだけツマミ７に嵌めるようにしている。
【００１４】
前記の通り、これら下方のギア装置１５、シャフト１６、上方のギア装置１７は縦桟２の空間１３に収容されているが、ギア装置１５は取付け板１９を介して縦桟２に固定され、同じくギア装置１７は取り付け板２０を介して縦桟２に固定されている。定位置に取着された両ギア装置１５，１７間にシャフト１６が繋がっている。
【００１５】
以上述べたように、本発明のブラインドを内蔵したガラスパネルは縦桟の空間に上下ギア装置を設けると共に両ギア装置をシャフトで繋ぎ、縦桟の表面に取付けたツマミを回すことで、上記ギア装置、シャフトを介して巻き取り軸を回転してブラインドを昇降可能としたものであり、次のような効果を得ることが出来る。
【００１６】
【発明の効果】
本発明のブラインドを内蔵したガラスパネルは縦桟の表面に小さなツマミが在るだけで、間仕切りの外観が損われることはなく、ブラインドを内蔵しないガラスパネルの場合と外観上の差異はない。そして内蔵しているブラインドを昇降動する場合には小さなツマミにハンドルを挿し込んで回すようになっている為に、昇降動操作が面倒なことはなく、ハンドル操作にてスムーズな昇降動が行われる。
【００１７】
又、ブラインドの羽根の傾斜度を調整する際にもツマミを回すことで行い得るが、この場合の回転は小さいことからハンドルを使用することはない。そして、従来の紐操作に比較して外観が優れているだけでなく操作性が良く、ブラインドの昇降動が確実にしかも正確に行い得る。
【図面の簡単な説明】
【図１】本発明のブラインドを内蔵したガラスパネルの概略図。
【図２】ブラインド内蔵のガラスパネルの断面図。
【図３】ブラインドの昇降動装置。
【符号の説明】
１  ガラス板
２  縦桟
３  上桟
４  下桟
５  ブラインド
６  巻き取り軸
７  ツマミ
８  空間
９  スタッド
10  床レール
11  アジャスター
12  天井レール
13  空間
14  軸
15  ギア装置
16  シャフト
17  ギア装置
18  軸
19  取付け板
20  取付け板
21  ハンドル
22  巾木
【図１】
0003716405.tif 000002
【図２】
0003716405.tif 000003
【図３】
0003716405.tif 000004